(57)【要約】【課題】  専用のアンテナ交換用治具を用意する必要がなく、然も、アンテナの交換時にキャビネットに傷を付けたり、交換すべきアンテナを破損することのない携帯型無線端末機を提供する。【解決手段】  本発明に係る携帯電話機２において、背面キャビネット22には、背面キャビネット22を貫通してアンテナ収容室23に至る第１貫通孔25と、該第１貫通孔25と交叉する方向に背面キャビネット22を貫通してアンテナ収容室23の内壁に開口する第２貫通孔24とが開設されている。アンテナ１は、第１貫通孔25からアンテナ収容室23に収容可能な円柱状の取り付け部17を具え、該取り付け部17の外周面には、第２貫通孔24に向けて弾性係合片14が突設されると共に、アンテナ１の先端部には、背面キャビネット22の外側から第２貫通孔24に嵌入して弾性係合片14を弾性復帰力に抗して押圧することが可能な突起部16が設けられている。【選択図】      図１
2006203385.tif 000002
【特許請求の範囲】
【請求項１】
携帯型無線端末機のキャビネット(22)を貫通する第１貫通孔(25)からキャビネット内(22)内のアンテナ収容室(23)に収容されるべき円柱状のアンテナ本体(10)を具え、該アンテナ本体(10)の外周面には、前記キャビネット(22)を貫通して前記アンテナ収容室(23)の内壁に開口する第２貫通孔(24)に係合すべき弾性係合片(14)が突設され、アンテナ本体(10)がアンテナ収容室(23)に収容された状態で、前記弾性係合片(14)は、弾性復帰力により前記第２貫通孔(24)のアンテナ収容室(23)側の端部に係合して、アンテナ本体(10)に抜け止めを施すアンテナにおいて、
前記アンテナ本体(10)には、前記キャビネット(22)の外側から前記第２貫通孔(24)に嵌入して前記弾性係合片(14)を弾性復帰力に抗して押圧することが可能な突起部(16)が、アンテナ本体(10)と一体に設けられていることを特徴とする携帯型無線端末機用のアンテナ。
【請求項２】
前記アンテナ本体(10)の突起部(16)は、前記キャビネット(22)の第２貫通孔(24)の開口形状よりも僅かに小さな断面形状と第２貫通孔(24)の深さに応じた突出高さを有している請求項１に記載の携帯型無線端末機用のアンテナ。
【請求項３】
前記アンテナ本体(10)の突起部(16)は、前記アンテナ収容室(23)に収容されるべきアンテナ本体(10)の端面に突設されている請求項１又は請求項２に記載の携帯型無線端末機用のアンテナ。
【請求項４】
前記アンテナ収容室(23)に収容されるべきアンテナ本体(10)の端部には、前記第２貫通孔(24)の開口形状よりも大きな断面形状を有して第２貫通孔(24)に嵌入不能な鍔部(15)が突設され、該鍔部(15)の端面(18)に前記突起部(16)が突設されている請求項３に記載の携帯型無線端末機用のアンテナ。
【請求項５】
キャビネット(22)に、円柱状の本体(10)を有するアンテナ(１)が取り付けられている携帯型無線端末機であって、前記キャビネット(22)には、その内部にアンテナ収容室(23)が設けられると共に、キャビネット(22)を貫通してアンテナ収容室(23)の入口に至る第１貫通孔(25)と、該第１貫通孔(25)と交叉する方向にキャビネット(22)を貫通してアンテナ収容室(23)の内壁に開口する第２貫通孔(24)とが開設され、前記アンテナ(１)は、前記第１貫通孔(25)からアンテナ収容室(23)に収容可能な円柱状の本体(10)を具え、該アンテナ本体(10)の外周面には、前記第２貫通孔(24)に向けて突出する弾性係合片(14)が設けられ、アンテナ本体(10)がアンテナ収容室(23)に収容された状態で、前記弾性係合片(14)は、弾性復帰力により前記第２貫通孔(24)に係合して、アンテナ本体(10)に抜け止めを施す携帯型無線端末機において、
前記アンテナ本体(10)には、前記キャビネット(22)の外側から前記第２貫通孔(24)に嵌入して前記弾性係合片(14)を弾性復帰力に抗して押圧することが可能な突起部(16)が、アンテナ本体(10)と一体に設けられていることを特徴とする携帯型無線端末機。
【発明の詳細な説明】
【技術分野】
【０００１】
本発明は、電波を受信及び／又は送信するためのアンテナ、並びに該アンテナを具えた携帯型無線端末機に関するものである。
【背景技術】
【０００２】
従来、携帯電話機においては、扁平なキャビネットにポール状のアンテナが取り付けられており、携帯電話機のキャビネットにアンテナを取り付ける構造の１つとして、図６に示す如く、携帯電話機(５)の背面キャビネット(52)にアンテナ(４)をねじ込んで取り付ける方式(以下、ねじ込み方式という)が知られている。
図６に示す如く携帯電話機(５)は、互いに開閉可能に連結された表面キャビネット(51)と背面キャビネット(52)を具え、背面キャビネット(52)の端部には、アンテナ(４)を取り付けるための貫通孔(54)が開設され、該貫通孔(54)の内周面に雌ネジ部(53)が形成されている。一方、アンテナ(４)には、円柱状の取り付け部(46)の外周面に雄ネジ部(44)が形成され、該雄ネジ部(44)を背面キャビネット(52)の雌ネジ部(53)に螺合せしめることによって、アンテナ(４)が背面キャビネット(52)に取り付けられている。
【０００３】
又、アンテナ(４)は、取り付け部(46)から背面キャビネット(52)の外部に向けて突出するヘリカルアンテナ部(41)と、ヘリカルアンテナ部(41)及び取り付け部(46)を貫通して背面キャビネット(52)内に収容されたホイップアンテナ部(42)とを具え、ホイップアンテナ部(42)の長手方向の両端部には、ホイップアンテナ部(42)の外径より大きな外径を有する頭部(43)及び鍔部(45)が突設されている。ホイップアンテナ部(42)は、背面キャビネット(52)の内部に収容されて頭部(43)がヘリカルアンテナ部(41)の先端に接触する第１位置と、その大部分が背面キャビネット(52)の外部に引き出されて鍔部(45)が取り付け部(46)の端部に接触する第２位置との間で、往復移動が可能となっている。
【０００４】
又、携帯電話機のキャビネットにアンテナを取り付ける他の構造として、図７に示す如く、携帯電話機のキャビネットとアンテナの対向部にアンテナ抜け止め構造を形成し、該抜け止め構造によりアンテナを携帯電話機のキャビネットに取り付ける方式(以下、スナップ・イン方式という)が知られている(特許文献１参照)。
アンテナ(６)には、円筒状の取り付け部(67)の外周面に弾性係合片(64)が一体に形成され、該弾性係合片(64)の先端は、取り付け部(67)の外周面から外向きに突出している。
一方、携帯電話機(２)の背面キャビネット(22)の端部には、アンテナ(６)の取り付け部(67)を挿入することが可能な第１貫通孔(25)が開設され、背面キャビネット(22)の背面には、該背面キャビネット(22)を貫通して第１貫通孔(25)の内壁に開口する第２貫通孔(24)が開設されている。
【０００５】
アンテナ(６)を背面キャビネット(22)に取り付ける場合には、アンテナ(６)の取り付け部(67)を背面キャビネット(22)の第１貫通孔(25)に挿入する。アンテナ(６)の取り付け部(67)が第１貫通孔(25)の内周面を摺動する過程で、取り付け部(67)の弾性係合片(64)は、該内周面により押圧されて取り付け部(67)の内側に弾性変形する。
その後、弾性係合片(64)が第２貫通孔(24)の開口位置に到達すると、弾性係合片(64)が弾性復帰して、第２貫通孔(24)と係合する。これによって、アンテナ(６)は、背面キャビネット(22)に取り付けられることになる。
【０００６】
スナップ・イン方式を採用した携帯電話機(２)において、アンテナを交換する場合には、図８に示す如く、背面キャビネット(22)の背面側から、背面キャビネット(22)に開設した第２貫通孔(24)に、アンテナ交換用治具(７)の突起部(71)を嵌入せしめる。突起部(71)が第２貫通孔(24)に嵌入する過程で、突起部(71)はアンテナ(６)の取り付け部(67)に形成した弾性係合片(64)に接触し、該弾性係合片(64)は、突起部(71)に押圧されて弾性変形することになる。
更に、アンテナ交換用治具(７)の端面(72)が背面キャビネット(22)の背面に接触するまでアンテナ交換用治具(７)を挿入すると、突起部(71)は、第２貫通孔(24)との係合が外れる位置まで弾性係合片(64)を押し込むことになり、この状態で、アンテナ(６)を背面キャビネット(22)の第１貫通孔(25)から抜き取ることが出来る。アンテナ(６)を抜き取った後、新しいアンテナ(６)を背面キャビネット(22)の第１貫通孔(25)から背面キャビネット(22)に挿入し、アンテナ(６)の交換を完了する。
【０００７】
ところで、上述の携帯電話機においては、アンテナの姿勢によって、人体が電波に晒されることにより単位質量の組織に単位時間に吸収されるエネルギー量、即ちＳＡＲ(Ｓｐｅｃｉｆｉｃ  Ａｂｏｓｏｒｐｔｉｏｎ  Ｒａｔｅ)値が変動することが知られている。
そこで、図７に示すスナップ・イン方式の携帯電話機(２)においては、背面キャビネット(22)からアンテナ(６)のホイップアンテナ部(62)を引き出して通話している状態で、該ホイップアンテナ部(62)がユーザの頭部から離れる方向に傾斜角度を持つ様、取り付け姿勢が設定されている。又、背面キャビネット(22)にアンテナ(６)が固定された状態で、ＳＡＲ値が最小となる様に、アンテナ(６)の中心軸回りの回転角度姿勢が設定されている。
【０００８】
ところが、図６に示すねじ込み方式の携帯電話機(５)においては、アンテナ(４)の引き出し状態における姿勢を調整することは可能であるものの、アンテナ(４)を背面キャビネット(52)に完全にねじ込んで固定した状態におけるアンテナ(４)の中心軸回りの回転角度姿勢は、背面キャビネット(52)の雌ネジ部(53)とアンテナ(４)の雄ネジ部(44)との螺合状態によって左右されるため、アンテナ(４)の回転角度姿勢を、ＳＡＲ値が最小となる最適姿勢に設定することは困難であった。
【０００９】
上述の如く、スナップ・イン方式を採用した携帯電話機(２)においては、ＳＡＲ値が最小となる様にアンテナ(６)の中心軸回りの回転角度姿勢を設定することが出来るので、ねじ込み方式の携帯電話機(５)よりも高い送受信性能が得られ、有利である。
【特許文献１】特開２００１−２８４９３１号公報  [H01Q 1/24]
【発明の開示】
【発明が解決しようとする課題】
【００１０】
しかしながら、スナップ・イン方式を採用した携帯電話機(２)においては、背面キャビネット(22)の第２貫通孔(24)の形状及び深さが携帯電話機の機種毎に異なるため、携帯電話機メーカは、携帯電話機の機種毎に専用のアンテナ交換用治具(７)を用意し、これらのアンテナ交換用治具(７)を携帯電話機のメンテナンスを行なう各店舗に配布する必要があり、又、各店舗では、これらのアンテナ交換用治具(７)を機種毎に管理する必要があった。
更に、背面キャビネット(22)の第２貫通孔(24)の形状及び深さに合致しない他の携帯電話機用のアンテナ交換用治具(７)を過って使用して交換作業を行なった場合、背面キャビネット(22)の第２貫通孔(24)の周辺部分に傷を付けたり、更には、アンテナ(６)の弾性係合片(64)を折ってしまい、折れた弾性係合片(64)が背面キャビネット(22)内に侵入することによって、新たな故障を引き起こす問題があった。
【００１１】
そこで、本発明は、専用のアンテナ交換用治具を用意する必要がなく、然も、アンテナの交換時にキャビネットに傷を付けたり、交換すべきアンテナを破損して新たな故障を引き起こすことのない、スナップ・イン方式の携帯型無線端末機用のアンテナ及びこれを具えた携帯型無線端末機を提供することである。
【課題を解決するための手段】
【００１２】
本発明に係る携帯型無線端末機用のアンテナは、キャビネット(22)を貫通する第１貫通孔(25)からキャビネット内(22)内のアンテナ収容室(23)に収容されるべき円柱状のアンテナ本体(10)を具え、該アンテナ本体(10)の外周面には、前記キャビネット(22)を貫通して前記アンテナ収容室(23)の内壁に開口する第２貫通孔(24)に係合すべき弾性係合片(14)が突設され、アンテナ本体(10)がアンテナ収容室(23)に収容された状態で、前記弾性係合片(14)は、弾性復帰力により前記第２貫通孔(24)のアンテナ収容室(23)側の端部に係合して、アンテナ本体(10)に抜け止めを施す。
前記アンテナ本体(10)には、前記キャビネット(22)の外側から前記第２貫通孔(24)に嵌入して前記弾性係合片(14)を弾性復帰力に抗して押圧することが可能な突起部(16)が、アンテナ本体(10)と一体に設けられている。
【００１３】
上記本発明の携帯型無線端末機用のアンテナにおいて、アンテナ(１)の故障等によりアンテナを交換する場合には、新しいアンテナ(１)の突起部(16)をキャビネット(22)の第２貫通孔(24)に嵌入せしめ、前記突起部(16)により、交換すべきアンテナ(１)に突設された弾性係合片(14)を、弾性復帰力に抗して第２貫通孔(24)との係合が外れる位置まで押圧する。これによって、交換すべきアンテナ(１)をキャビネット(22)の第１貫通孔(25)から抜き取ることが可能となる。
この状態で、交換すべきアンテナ(１)を抜き取った後、新しいアンテナ(１)を第１貫通孔(25)からキャビネット(22)内のアンテナ収容室(23)に向けて挿入する。アンテナ(１)を第１貫通孔(25)からキャビネット(22)に挿入する過程で、アンテナ本体(10)に突設された弾性係合片(14)が、第２貫通孔(24)の開口部に至ると、該弾性係合片(14)が弾性復帰して第２貫通孔(24)に係合し、これによって、新しいアンテナ(１)が携帯型無線端末機のキャビネット(22)に取り付けられる。
【００１４】
従って、上記本発明の携帯型無線端末機用のアンテナによれば、新しいアンテナ(１)を使用して、キャビネット(22)から交換すべきアンテナ(１)を取り外すことが出来るので、アンテナの交換時に過って他の機種用のアンテナ交換用治具を使用する虞はない。
【００１５】
具体的構成において、前記アンテナ本体(10)の突起部(16)は、前記キャビネット(22)の第２貫通孔(24)の開口形状よりも僅かに小さな断面形状と第２貫通孔(24)の深さに応じた突出高さを有している。
【００１６】
該具体的構成によれば、アンテナ(１)の交換時に、新しいアンテナ(１)の突起部(16)をキャビネット(22)の第２貫通孔(24)に無理なく嵌入せしめることが出来るだけでなく、交換すべきアンテナ(１)の弾性係合片(14)を必要以上に弾性変形させることなく、交換すべきアンテナ(１)とキャビネット(22)との係合を外すことが出来る。これによって、アンテナ(１)の交換時に、突起部(16)がキャビネット(22)に接触してキャビネット(22)に傷を付けることが防止される。又、交換すべきアンテナ(１)の弾性係合片(14)を折ってしまうことを防止することが出来、この結果、折れた弾性係合片(14)が背面キャビネット(22)内に侵入することによる新たな故障の発生が防止される。
【００１７】
又、具体的構成において、前記アンテナ本体(10)の突起部(16)は、前記アンテナ収容室(23)に収容されるべきアンテナ本体(10)の端面に突設されている。
【００１８】
該具体的構成によれば、アンテナ交換時にアンテナ本体(10)を把持して、突起部(16)をキャビネット(22)の第２貫通孔(24)へ嵌入せしめる作業を行なうことが出来るので、作業が容易となる。
【００１９】
更に具体的構成において、前記アンテナ収容室(23)に収容されるべきアンテナ本体(10)の端部には、前記第２貫通孔(24)の開口形状よりも大きな断面形状を有して第２貫通孔(24)に嵌入不能な鍔部(15)が突設され、該鍔部(15)の端面(18)に前記突起部(16)が突設されている。
【００２０】
該具体的構成において、アンテナ本体(10)の鍔部(15)は、第２貫通孔(24)の開口形状よりも大きな断面形状を有しているので、アンテナ(１)の交換時に新しいアンテナ(１)の突起部(16)をキャビネット(22)の第２貫通孔(24)に挿入する過程で、鍔部(15)の端面(18)はキャビネット(22)に接触し、これによって、突起部(16)の第２貫通孔(24)への更なる挿入が阻止される。ここで、突起部(16)は、前記第２貫通孔(24)の深さに応じた突出高さを有しているので、該突起部(16)によって、交換すべきアンテナ(１)の弾性係合片(14)は前記第２貫通孔(24)との係合が外れる位置まで押し込まれることになる。
【００２１】
従って、アンテナ(１)の交換時には、新しいアンテナ(１)の鍔部(15)の端面(18)がキャビネット(22)に接触するまで、該アンテナ(１)の突起部(16)をキャビネット(22)の第２貫通孔(24)に嵌入せしめることによって、交換すべきアンテナ(１)の弾性係合片(14)を必要以上に弾性変形させることなく、交換すべきアンテナ(１)とキャビネット(22)との係合を外すことが出来る。これによって、交換すべきアンテナ(１)の弾性係合片(14)を折ってしまうことを防止することが出来、この結果、折れた弾性係合片(14)が背面キャビネット(22)内に侵入することによる新たな故障の発生が防止される。
【００２２】
又、本発明に係る携帯型無線端末機は、キャビネット(22)に円柱状の本体(10)を有するアンテナ(１)が取り付けられており、前記キャビネット(22)には、その内部にアンテナ収容室(23)が設けられると共に、キャビネット(22)を貫通してアンテナ収容室(23)の入口に至る第１貫通孔(25)と、該第１貫通孔(25)と交叉する方向にキャビネット(22)を貫通してアンテナ収容室(23)の内壁に開口する第２貫通孔(24)とが開設されている。前記アンテナ(１)は、前記第１貫通孔(25)からアンテナ収容室(23)に収容可能な円柱状の本体(10)を具え、該アンテナ本体(10)の外周面には、前記第２貫通孔(24)に向けて突出する弾性係合片(14)が設けられ、アンテナ本体(10)がアンテナ収容室(23)に収容された状態で、前記弾性係合片(14)は、弾性復帰力により前記第２貫通孔(24)に係合して、アンテナ本体(10)に抜け止めを施す。
又、前記アンテナ本体(10)には、前記キャビネット(22)の外側から前記第２貫通孔(24)に嵌入して前記弾性係合片(14)を弾性復帰力に抗して押圧することが可能な突起部(16)が、アンテナ本体(10)と一体に設けられている。
【００２３】
上記本発明に係る携帯型無線端末機によれば、アンテナ(１)を交換する際に新しいアンテナ(１)を用いて交換作業を行なうことが出来、専用のアンテナ交換用治具は不要であるので、交換作業に他の機種用のアンテナ交換用治具を過って使用することがなくなる。
【発明の効果】
【００２４】
本発明のスナップ・イン方式の携帯型無線端末機用のアンテナ及びこれを具えた携帯型無線端末機によれば、アンテナ交換のために専用の治具を用意する必要がなく、然も、アンテナの交換時にキャビネットに傷を付けたり、交換すべきアンテナを破損して新たな故障を引き起こすことがない。
又、従来は携帯型無線端末機の機種毎に用意する必要のあった専用のアンテナ交換用治具が不要となるので、これらのアンテナ交換用治具を管理するための労力が不要となる。
【発明を実施するための最良の形態】
【００２５】
以下、本発明を携帯電話機に実施した形態につき、図面に沿って具体的に説明する。
図１(ａ)及び図１(ｂ)に示す如く、本発明に係る携帯電話機(２)は、互いに開閉可能に連結された表面キャビネット(21)と背面キャビネット(22)とから構成され、表面キャビネット(21)及び背面キャビネット(22)はそれぞれ扁平な形状を呈している。
背面キャビネット(22)の内部には、アンテナ(１)を収容するためのアンテナ収容室(23)が設けられている。背面キャビネット(22)は、互いに交叉する端面(22a)と背面(22b)を有し、背面キャビネット(22)の端面(22a)には、背面キャビネット(22)を貫通してアンテナ収容室(23)の入口に至る円形の第１貫通孔(25)が開設され、背面キャビネット(22)の背面(22b)には、第１貫通孔(25)と交叉する方向に背面キャビネット(22)を貫通してアンテナ収容室(23)の内壁に開口する円形の第２貫通孔(24)が開設されている。
【００２６】
図２に示す如く、アンテナ(１)の本体(10)は、前記背面キャビネット(22)の第１貫通孔(25)に挿入されるべき円筒状の取り付け部(17)と、該取り付け部(17)から一方向へ突出して該取り付け部(17)と同軸上に配備された円柱状のヘリカルアンテナ部(11)と、ヘリカルアンテナ部(11)及び取り付け部(17)の中心軸を貫通するポール状のホイップアンテナ部(12)とから構成される。
【００２７】
ホイップアンテナ部(12)の長手方向の両端部には、ホイップアンテナ部(12)の外径より大きな外径を有する頭部(12)及び鍔部(15)が形成され、鍔部(15)の先端面(18)には、ホイップアンテナ部(12)の中心軸と同軸上に伸びる円柱状の突起部(16)が形成されている。
取り付け部(17)は合成樹脂製で、取り付け部(17)の外周面には、該外周面から半径方向に突出して取り付け部(17)の内部に向けて弾性変形可能な弾性係合片(14)が、取り付け部(17)と一体に形成されている。
【００２８】
図１(ａ)及び図１(ｂ)に示す如く、アンテナ(１)は、取り付け部(17)の弾性係合片(14)が背面キャビネット(22)の第２貫通孔(14)に係合した状態で、背面キャビネット(22)の端部に取り付けられ、ヘリカルアンテナ部(11)の中心軸回りの回転角度姿勢は、ＳＡＲ値が最小となる最適な姿勢に設定されている。
【００２９】
図１(ａ)は、ホイップアンテナ部(12)を背面キャビネット(22)のアンテナ収容室(23)に収容した状態を示しており、この状態で、ホイップアンテナ部(12)の頭部(13)は、ヘリカルアンテナ部(11)の先端に接触している。
一方、図１(ｂ)は、ホイップアンテナ部(12)を背面キャビネット(22)から最大限引き出した状態を示しており、この状態で、ホイップアンテナ部(12)の鍔部(15)は、取り付け部(17)の端部に接触している。又、ホイップアンテナ部(12)の引き出し方向は、背面キャビネット(22)からホイップアンテナ部(12)を引き出して通話している状態で、該ホイップアンテナ部(12)がユーザの頭部から離れる方向に傾斜角度を持つ様に設定されている。
ホイップアンテナ部(12)は、図１(ａ)に示す収容位置と図１(ｂ)に示す伸長位置との間で往復移動が可能となっている。
【００３０】
アンテナ(１)を背面キャビネット(22)に取り付ける際には、図４(ａ)に示す如く、アンテナ(１)の取り付け部(17)を背面キャビネット(22)の第１貫通孔(25)に挿入する。
アンテナ(１)の取り付け部(17)を背面キャビネット(22)の第１貫通孔(25)に挿入する過程で、取り付け部(17)に突設された弾性係合片(14)は、図４(ｂ)に示す如く、第１貫通孔(25)の内周面に接触することにより、取り付け部(17)の内部に向けて弾性変形する。
その後、図４(ｃ)に示す如く、ヘリカルアンテナ部(12)が背面キャビネット(22)の端面に接触するまで、アンテナ(１)の取り付け部(17)を背面キャビネット(22)の第１貫通孔(25)に挿入すると、取り付け部(17)の弾性係合片(14)は、第２貫通孔(24)の開口位置に至り、これに伴って、弾性係合片(14)が弾性復帰して第２貫通孔(24)と係合する。
この様にして、アンテナ(１)は背面キャビネット(22)に取り付けられる。
【００３１】
一方、アンテナ(１)の故障等により、携帯電話機(２)に取り付けられたアンテナ(１)を新しいアンテナ(１)に交換する場合には、図５(ａ)に示す如く、新しいアンテナ(１)の先端に突設された突起部(16)を背面キャビネット(22)の第２貫通孔(24)に嵌入せしめる。
ここで、図３に示す如く、背面キャビネット(22)に開口する第２貫通孔(24)は円形である一方、図１に示すアンテナ(１)の突起部(16)は、前記第２貫通孔(24)の内径よりも僅かに小径の円柱状に形成され、鍔部(15)は、前記第２貫通孔(24)の内径よりも大径の円板状に形成されている。又、突起部(16)は、第２貫通孔(24)の深さに一致する突出高さを有している。
【００３２】
従って、図５(ｂ)に示す如く、鍔部(15)の先端面(18)が背面キャビネット(22)の背面に接触するまで、新しいアンテナ(１)の突起部(16)を背面キャビネット(22)の第２貫通孔(24)に嵌入せしめると、新しいアンテナ(１)の突起部(16)に押圧されることによって、交換すべきアンテナ(１)の弾性係合片(14)は、第２貫通孔(24)との係合が外れる位置まで弾性変形することになる。
【００３３】
そしてこの状態で、図５(ｃ)に示す如く、交換すべきアンテナ(１)を背面キャビネット(22)の第１貫通孔(25)から抜き取った後、図４(ａ)〜図４(ｃ)に示す如く、新しいアンテナ(１)を背面キャビネット(22)の第１貫通孔(25)に挿入することにより、アンテナを交換することが出来る。
【００３４】
従来の携帯電話機において、アンテナをキャビネットから取り外すには、専用のアンテナ交換用治具を用いる必要があったが、上記本発明の携帯電話機(２)によれば、専用のアンテナ交換用治具の代わりに新しいアンテナ(１)を用いて、交換すべきアンテナ(１)を背面キャビネット(22)から取り外すことが出来る。従って、専用のアンテナ交換用治具は不要となる。これによって、アンテナ交換用治具の製造、配布及び管理等のために必要であったコストを削減することが出来る。
【００３５】
アンテナ(１)の交換時には、アンテナ(１)の突起部(16)を背面キャビネット(22)の第２貫通孔(24)に嵌入せしめることにより、交換すべきアンテナ(１)を背面キャビネット(22)から取り外すことが出来る。アンテナ(１)の突起部(16)は、背面キャビネット(22)に開口する第２貫通孔(24)の内径よりも僅かに小径に形成されているので、前記突起部(16)を前記第２貫通孔(24)に無理なく嵌入せしめることが出来る。従って、アンテナ(１)の突起部(12)が、背面キャビネット(22)の第２貫通孔(24)の周辺部分に接触して傷を付ける虞はない。
【００３６】
更に、アンテナ(１)の交換時には、鍔部(15)の先端面(18)が背面キャビネット(22)の背面に接触するまで、アンテナ(１)の突起部(16)を背面キャビネット(22)の第２貫通孔(24)に嵌入せしめることにより、交換すべきアンテナ(１)の弾性係合片(14)を必要以上に弾性変形させることなく、交換すべきアンテナ(１)と背面キャビネット(22)との係合を外すことが出来る。これによって、アンテナ(１)の交換時に、交換すべきアンテナ(１)の弾性係合片(14)を折ってしまうことを防止することが出来、この結果、折れた弾性係合片(14)が背面キャビネット(22)内に侵入することによる新たな故障の発生が防止される。
【００３７】
尚、本発明の各部構成は上記実施の形態に限らず、特許請求の範囲に記載の技術的範囲内で種々の変形が可能である。例えば、本実施例において、アンテナ(１)の突起部(16)は、アンテナ交換時の操作性及びユーザの安全性を考慮して、アンテナ(１)が背面キャビネット(22)に取り付けられた状態で背面キャビネット(22)の外部に露出することのないホイップアンテナ部(22)の先端部に形成したが、これに限らずアンテナ(１)の任意の位置に形成することが出来る。
又、突起部(16)の断面形状及び第２貫通孔(24)の開口形状は共に円形としたが、これに限らず、突起部(16)が第２貫通孔(24)の開口形状よりも僅かに小さな断面形状を有していれば、突起部(16)の断面形状及び第２貫通孔(24)の開口形状としては、種々の形状を採用することが出来る。
【図面の簡単な説明】
【００３８】
【図１】本発明に係る携帯電話機において、アンテナをキャビネットに収容した状態及びキャビネットから引き出した状態を示す一部破断側面図である。
【図２】本発明に係る携帯電話機用のアンテナを示す斜視図である。
【図３】該携帯電話機の背面図である。
【図４】該携帯電話機において、アンテナを取り付ける作業を示す一連の一部破断側面図である。
【図５】該携帯電話機において、アンテナを取り外す作業を示す一連の一部破断側面図である。
【図６】従来の携帯電話機の構成を示す一部破断側面図である。
【図７】従来の携帯電話機の他の構成を示す一部破断側面図である。
【図８】図７の携帯電話機において、アンテナを取り外す作業を示す一部破断側面図である。
【符号の説明】
【００３９】
(１)  アンテナ
(10)  アンテナ本体
(11)  ヘリカルアンテナ部
(12)  ホイップアンテナ部
(14)  弾性係合片
(15)  鍔部
(16)  突起部
(17)  取り付け部
(２)  携帯電話機
(21)  表面キャビネット
(22)  背面キャビネット
(23)  アンテナ収容室
(24)  第２貫通孔
(25)  第１貫通孔
【図１】
2006203385.tif 000003
【図２】
2006203385.tif 000004
【図３】
2006203385.tif 000005
【図４】
2006203385.tif 000006
【図５】
2006203385.tif 000007
【図６】
2006203385.tif 000008
【図７】
2006203385.tif 000009
【図８】
2006203385.tif 000010